(57)【要約】【課題】  遊技者に不快感を与えたり、プライバシーを侵害することなく、遊技者の照合を行い、遊技場における不正行為を効果的に防止する。【解決手段】  遊技場に設置された複数の遊技機１毎に設けられ、各遊技機１で遊技している遊技者の足情報を取得する足情報取得装置１１と、足情報取得装置１１が取得した足情報を、各遊技機１の台番号に関連付けて記憶する足情報記憶装置１３と、台番号の指定に応じて、足情報記憶装置１３から該当する足情報を読み出し、この足情報を表示する足情報表示装置１４とを備える。【選択図】      図３
2006055184.tif 000002
【特許請求の範囲】
【請求項１】
遊技場に設けられる遊技者照合システムであって、
前記遊技場に設置された複数の遊技機毎に設けられ、各遊技機で遊技している遊技者の足情報を取得する足情報取得装置と、
前記足情報取得装置が取得した足情報を、各遊技機の台番号に関連付けて記憶する足情報記憶装置と、
前記台番号の指定に応じて、前記足情報記憶装置から該当する足情報を読み出し、この足情報を表示する足情報表示装置と
を備えることを特徴とする遊技者照合システム。
【請求項２】
前記足情報表示装置が、遊技媒体を計数する計数機の近傍に設けられることを特徴とする請求項１記載の遊技者照合システム。
【請求項３】
前記計数機の近傍に設けられ、当該計数機で計数する遊技者の足情報を取得する第二の足情報取得装置を更に備え、
前記足情報表示装置が、前記台番号の指定に応じて、前記足情報記憶装置から読み出した足情報と、前記第二の足情報取得装置が取得した足情報とを比較可能に表示する
ことを特徴とする請求項１又は２記載の遊技者照合システム。
【請求項４】
前記足情報取得装置が、遊技者の足画像を撮像するカメラを備えることを特徴とする請求項１〜３のいずれかに記載の遊技者照合システム。
【請求項５】
前記足情報取得装置が、遊技者の足形を検出する足形検出マットを備えることを特徴とする請求項１〜３のいずれかに記載の遊技者照合システム。
【発明の詳細な説明】
【技術分野】
【０００１】
本発明は、パチンコ機、パチスロ機などの遊技機を設置した遊技場に設けられる遊技者照合システムに関する。
【背景技術】
【０００２】
近年、パチンコ機、パチスロ機などの遊技機を設置した遊技場では、不正行為による被害が増えている。この種の不正行為としては、遊技機に対するものだけでなく、遊技媒体を計数する際に行われるものもある。例えば、他の遊技者が獲得した遊技媒体を玉箱ごと盗み、これを計数機に流して景品に交換するという不正行為が知られている。
【０００３】
計数機は、通常、投入された遊技媒体を計数する計数機本体と、計数結果をチケットに印字して発券するチケット発行機とを備えて構成されている。チケット発行機のなかには、台番号を入力するテンキーが設けられ、ここで台番号を入力すると、その台の出玉数（遊技状況）が表示されるようにしたものがある。このようなチケット発行機によれば、入力された台番号の出玉数と、計数機で計数された実際の玉数を照合し、照合の結果、これらに大きな差異がある場合には、何らかの不正又は異常があったものとして対応することが可能になる。
【０００４】
また、遊技場における不正行為を防止するために、顔認識システムの導入も提案されている（例えば、特許文献１参照。）。顔認識システムを導入した場合には、例えば、遊技機で遊技している遊技者の顔画像と、遊技媒体を計数する遊技者の顔画像を照合し、両者が一致しないとき、不正があったものとして対応することが可能になる。
【特許文献１】特開２００３−９２６号公報
【発明の開示】
【発明が解決しようとする課題】
【０００５】
しかしながら、特許文献１に示されるように、遊技者の顔画像を取得する場合には、遊技者に不快感を与えたり、プライバシーを侵害する可能性がある。しかも、顔は、サングラスやマスクで偽装することが容易であるため、顔認識システムの存在を知られると、偽装によってシステムが無効化される惧れがある。
【０００６】
本発明は、上記の事情にかんがみなされたものであり、遊技者に不快感を与えたり、プライバシーを侵害することなく、遊技者の照合を行い、遊技場における不正行為を効果的に防止できる遊技者照合システムの提供を目的とする。
【課題を解決するための手段】
【０００７】
上記目的を達成するため本発明の遊技者照合システムは、遊技場に設けられる遊技者照合システムであって、前記遊技場に設置された複数の遊技機毎に設けられ、各遊技機で遊技している遊技者の足情報を取得する足情報取得装置と、前記足情報取得装置が取得した足情報を、各遊技機の台番号に関連付けて記憶する足情報記憶装置と、前記台番号の指定に応じて、前記足情報記憶装置から該当する足情報を読み出し、この足情報を表示する足情報表示装置とを備える構成としてある。
【０００８】
このように構成すれば、遊技者に不快感を与えたり、プライバシーを侵害することなく、遊技者の照合を行うことができる。しかも、遊技者固有の足情報は、靴を履き替えない限り偽装が困難であるため、サングラスやマスクによって偽装が容易な顔情報に比べて、信頼性の高い照合を行うことができる。
【０００９】
また、本発明の遊技者照合システムは、前記足情報表示装置が、遊技媒体を計数する計数機の近傍に設けられる構成としてある。
このように構成すれば、遊技者が遊技媒体を計数する際、店員が、台番号の指定に応じて足情報記憶装置から読み出した足情報と、遊技者の足を目視で比較し、同一人物であるか否かを判定することが可能になる、これにより、他の遊技者が獲得した遊技媒体を玉箱ごと盗み、これを計数機に流して景品に交換するという不正行為を阻止できる。
【００１０】
また、本発明の遊技者照合システムは、前記計数機の近傍に設けられ、当該計数機で計数する遊技者の足情報を取得する第二の足情報取得装置を更に備え、前記足情報表示装置が、前記台番号の指定に応じて、前記足情報記憶装置から読み出した足情報と、前記第二の足情報取得装置が取得した足情報とを比較可能に表示する構成としてある。
このように構成すれば、店員が、遊技者の足を実際に目視することなく、モニタを見るだけで、遊技者の照合を行うことができる。これにより、遊技者に不快感を与えることなく、遊技者の照合が可能になる。
【００１１】
また、本発明の遊技者照合システムは、前記足情報取得装置が、遊技者の足画像を撮像するカメラを備える構成としてある。
このように構成すれば、一般に普及しているＣＣＤカメラなどを用いて、足情報取得装置を構成することができる。
【００１２】
また、本発明の遊技者照合システムは、前記足情報取得装置が、遊技者の足形を検出する足形検出マットを備える構成としてある。
このように構成すれば、遊技者に不快感を与えたり、プライバシーを侵害する不都合を確実に回避できる。
【発明の効果】
【００１３】
以上のように、本発明によれば、遊技者に不快感を与えたり、プライバシーを侵害することなく、遊技者の照合を行うことができる。しかも、遊技者固有の足情報は、靴を履き替えない限り偽装が困難であるため、サングラスやマスクによって偽装が容易な顔情報に比べて、信頼性の高い照合を行うことができる。
【発明を実施するための最良の形態】
【００１４】
以下、本発明の実施形態について、図面を参照して説明する。
【００１５】
［第一実施形態］
まず、本発明の第一実施形態について、図１〜図６を参照して説明する。
図１は、遊技場の平面図である。
この図に示すように、遊技場には、パチンコ機、パチスロ機などの遊技機１と、遊技者が座る椅子２と、遊技で獲得した遊技球、メダルなどの遊技媒体を計数する計数機３と、計数結果が印字されたチケットを発券するチケット発行機４と、チケットを景品に交換する景品交換カウンタ５が設置されている。
【００１６】
図２は、遊技場管理システムのブロック図である。
この図に示すように、遊技場管理システムには、ホールコンピュータ６、ＰＯＳ７、インカム８、計数機３、チケット発行機４、ネットワーク９、遊技者照合システム１０などが含まれる。
【００１７】
ホールコンピュータ６は、各遊技機１が送信する各種の外部出力信号を受信し、各遊技機１の遊技状況を集計する。集計する遊技状況には、出玉数、大当たり回数などが含まれる。
インカム８は、店員同士の連絡に使用される。
ネットワーク９は、遊技場管理システムの各機器を通信可能に接続する。
【００１８】
上記のように、計数機３は、遊技で獲得した遊技媒体を計数し、チケット発行機４は、計数結果が印字されたチケットを発券する。本実施形態のチケット発行機４は、遊技媒体を計数する際に、遊技していた遊技機１の台番号を要求する。具体的には、テンキーを有しており、ここで台番号を入力することが求められる。台番号は遊技者が入力してもよいし、計数機３の近くにいる店員が遊技者から台番号を聞いて入力してもよい。
【００１９】
チケット発行機４は、台番号の入力に応じて、ホールコンピュータ６に問い合わせし、該当する遊技機１の出玉データを取得するとともに、この出玉データを表示部に表示する。これにより、店員は、計数結果と出玉データを比較し、これらが大きく異なる場合、何らかの不正又は異常があったものとして対応することが可能になる。
【００２０】
図３は、本発明の第一実施形態に係る遊技者照合システムのブロック図である。
この図に示すように、遊技者照合システム１０は、足情報取得装置１１、１２と、足情報記憶装置１３と、足情報表示装置１４と、これらを通信可能に接続するネットワーク１５とを備えて構成されている。
【００２１】
足情報取得装置１１は、各遊技機１で遊技している遊技者の足情報を取得するものであり、本実施形態では、足形検出マット１１ａを用いて、遊技者の足形（靴底形状）を検出する。足形検出マット１１ａは、マトリクス状に配置された多数の感圧素子によって、加圧体の形状を所定の解像度で検出するように構成されている。このような感圧マトリクスマットは、公知であり、例えば、特開平６−３０９５３６号公報に示されるものを用いることができる。
【００２２】
足形検出マット１１ａが検出した足形データは、画像読取部１１ｂ、画像圧縮部１１ｃ、Ｉ／Ｆ１１ｄ及びネットワーク１５を経由して足情報記憶装置１３へ送信される。足形データを足情報記憶装置１３に送信するタイミングは、一定時間毎であってもよいし、遊技機１の遊技状況に応じて決めてもよい。例えば、遊技機１で大当たりが発生したとき、足形データの送信を行う。
【００２３】
第二の足情報取得装置１２は、計数機３で遊技媒体を計数している遊技者の足情報を取得する。本実施形態では、足形検出マット１２ａを用いて、遊技者の足形を検出し、この足形データを、画像読取部１２ｂ、画像圧縮部１２ｃ及びＩ／Ｆ１２ｄを介してネットワーク１５に送出する。
【００２４】
足情報記憶装置１３は、各足情報取得装置１１から送信される足情報を、ネットワーク１５及びＩ／Ｆ１３ａを介して受信し、これを台番号に関連付けて記憶部１３ｂに記憶する。また、足情報表示装置１４から足情報の読み出し要求があったときは、指定された台番号をもとに、該当する足情報を検索して足情報表示装置１４に送信する。
【００２５】
足情報記憶装置１３に記憶された足情報は、その日の営業が終了した時点で消去することが好ましい。これは、翌日以降まで足情報を保有しても、靴が履き替えられると、遊技者照合情報としての価値を失うからである。また、足情報の記憶期間を当日限りにすると、足情報記憶装置１３の記憶領域を有効活用できるという利点もある。
なお、本実施形態では、専用の管理装置（足情報記憶装置１３）で足情報を記憶しているが、ホールコンピュータ６を利用して足情報を記憶するようにしてもよい。
【００２６】
足情報表示装置１４は、台番号の指定に応じて、足情報記憶装置１３から該当する足情報を読み出し、この足情報を表示する。具体的に説明すると、本実施形態の足情報表示装置１４は、計数機３の近傍に配置され、チケット発行機４のテンキー等で構成される台番号指定部１４ｃから入力された台番号を、Ｉ／Ｆ１４ａ及びネットワーク１５を介して足情報記憶装置１３に送信するとともに、これに応じて足情報記憶装置１３が送信する足情報を、ネットワーク１５及びＩ／Ｆ１４ａを介して受信し、これをモニタ１４ｂに表示する。
【００２７】
このようにすると、遊技者が遊技媒体を計数する際、店員が、台番号の指定に応じて足情報記憶装置１３から読み出した足情報と、遊技者の足を目視で比較し、同一人物であるか否かを判定することが可能になる、これにより、他の遊技者が獲得した遊技媒体を玉箱ごと盗み、これを計数機３に流して景品に交換するという不正行為を阻止できる。
【００２８】
図４は、本発明の第一実施形態に係る足情報表示画面の説明図、図５は、本発明の第一実施形態に係る足情報表示装置の制御手順を示すフローチャートである。
図４に示すように、本実施形態では、足情報表示装置１４のモニタ１４ｂに二つの足情報が並べて表示される。すなわち、足情報表示装置１４は、図５に示すように、台番号指定部１４ｃからの台番号の入力を判断すると（Ｓ１０１）、その台番号に対応する足情報を足情報記憶装置１３から読み出すとともに（Ｓ１０２）、第二の足情報取得装置１２から足情報を受信し（Ｓ１０３）、これら二つの足情報をモニタ１４ｂに並べて表示する（Ｓ１０４）。このようにすると、店員が、遊技者の足を実際に目視することなく、モニタ１４ｂを見るだけで、遊技者の照合を行うことが可能になる。
【００２９】
図６は、本発明の第一実施形態に係る足情報の説明図である。
この図に示すように、本実施形態の足情報取得装置１１、１２が取得する足情報は、足形（靴底形状）であるため、その大きさと形状にもとづいて、遊技者の照合（特定）が行われる。本実施形態では、モニタ１４ｂに足形を表示し、店員が目視で照合を行うが、この照合処理を自動的に行うようにしてもよい。例えば、モニタ１４ｂに表示される２つの足形を照合する場合、図６に示す５つの足形成分（全長、全幅、全部幅、中央部幅及び後部幅）について数値的な比較処理を行い、各成分の一致度にもとづいて、同一人物であるか否かを判定することができる。
【００３０】
以上のように構成された第一実施形態の遊技者照合システム１０によれば、遊技場に設置された複数の遊技機１毎に設けられ、各遊技機１で遊技している遊技者の足情報を取得する足情報取得装置１１と、足情報取得装置１１が取得した足情報を、各遊技機１の台番号に関連付けて記憶する足情報記憶装置１３と、台番号の指定に応じて、足情報記憶装置１３から該当する足情報を読み出し、この足情報を表示する足情報表示装置１４とを備えるので、遊技者に不快感を与えたり、プライバシーを侵害することなく、遊技者の照合を行うことができる。しかも、遊技者固有の足情報は、靴を履き替えない限り偽装が困難であるため、サングラスやマスクによって偽装が容易な顔情報に比べて、信頼性の高い照合を行うことができる。
【００３１】
また、足情報表示装置１４は、遊技媒体を計数する計数機３の近傍に設けられているので、遊技者が遊技媒体を計数する際、店員が、台番号の指定に応じて足情報記憶装置１３から読み出した足情報と、遊技者の足を目視で比較し、同一人物であるか否かを判定することが可能になる、これにより、他の遊技者が獲得した遊技媒体を玉箱ごと盗み、これを計数機３に流して景品に交換するという不正行為を阻止できる。
【００３２】
また、本実施形態の遊技者照合システム１０は、計数機３で計数する遊技者の足情報を取得する第二の足情報取得装置１２を備え、足情報表示装置１４には、台番号の指定に応じて、足情報記憶装置１３から読み出した足情報と、第二の足情報取得装置１２が取得した足情報とを比較可能に表示するので、店員が、遊技者の足を実際に目視することなく、モニタ１４ｂを見るだけで、遊技者の照合を行うことができる。これにより、遊技者に不快感を与えることなく、遊技者の照合が可能になる。
【００３３】
また、本実施形態の足情報取得装置１１、１２は、足形検出マット１１ａを用いて、遊技者の足形を検出するので、遊技者に不快感を与えたり、プライバシーを侵害する不都合を確実に回避できる。
【００３４】
［第二実施形態］
つぎに、本発明の第二実施形態について、図７及び図８を参照して説明する。ただし、第一実施形態と共通の構成については、第一実施形態と同じ符号を付け、第一実施形態の説明を援用する。
図７は、本発明の第二実施形態に係る足情報取得装置の説明図、図８は、本発明の第二実施形態に係る足情報表示画面の説明図である。
【００３５】
これらの図に示すように、第二実施形態は、遊技者の足情報として足画像（靴を含む足元画像）を取得する点が第一実施形態と相違している。具体的に説明すると、図７に示すように、遊技機１よりも下方の腰板部分に、下向きでＣＣＤカメラ１１ｅを設置し、遊技者の足元を撮影する。また、計数機３（チケット発行機４）の下部にもＣＣＤカメラ（図示せず）を設置して、遊技者の足元を撮影する。そして、これらの足画像は、図８に示すように、足情報表示装置１４のモニタ１４ｂに並べて表示される。
【００３６】
以上のように構成された第二実施形態によれば、一般に普及しているＣＣＤカメラなどを用いて、足情報取得装置１１を構成することができるので、遊技者照合システム１０のコストを削減することができる。
しかも、カラー画像で照合することができるため、足情報の比較・照合が容易になるとともに、色に起因する照合ミスを減らすことができる。
【００３７】
［第三実施形態］
つぎに、本発明の第三実施形態について、図９を参照して説明する。
図９は、本発明の第三実施形態に係る足情報表示装置の制御手順を示すフローチャートである。
この図に示すように、第三実施形態は、第二の足情報取得装置１２を省き、足情報表示装置１４に足情報記憶装置１３から呼び出した足情報のみを表示する点が前記実施形態と相違する。
つまり、本実施形態の足情報表示装置１４は、図９に示すように、台番号指定部１４ｃからの台番号の入力を判断すると（Ｓ２０１）、その台番号に対応する足情報を足情報記憶装置１３から読み出し（Ｓ２０２）、この足情報のみをモニタ１４ｂに表示する（Ｓ２０３）。このように構成しても、計数している遊技者の足を店員が目視すれば、モニタ１４ｂに表示される足情報との比較・照合が可能である。
【産業上の利用可能性】
【００３８】
本発明は、パチンコ機、パチスロ機などの遊技機を設置した遊技場に設けられ、遊技者の照合を行う遊技者照合システムに適用される。本発明が適用された遊技者照合システムは、遊技者に不快感を与えたり、プライバシーを侵害することなく、遊技者を照合できるので、遊技場における不正行為を効果的に防止することができる。
【図面の簡単な説明】
【００３９】
【図１】遊技場の平面図である。
【図２】遊技場管理システムのブロック図である。
【図３】本発明の第一実施形態に係る遊技者照合システムのブロック図である。
【図４】本発明の第一実施形態に係る足情報表示画面の説明図である。
【図５】本発明の第一実施形態に係る足情報表示装置の制御手順を示すフローチャートである。
【図６】本発明の第一実施形態に係る足情報の説明図である。
【図７】本発明の第二実施形態に係る足情報取得装置の説明図である。
【図８】本発明の第二実施形態に係る足情報表示画面の説明図である。
【図９】本発明の第三実施形態に係る足情報表示装置の制御手順を示すフローチャートである。
【符号の説明】
【００４０】
１  遊技機
２  椅子
３  計数機
４  チケット発行機
１０  遊技者照合システム
１１、１２  足情報取得装置
１１ａ  足形検出マット
１１ｅ  ＣＣＤカメラ
１３  足情報記憶装置
１４  足情報表示装置
１４ｂ  モニタ
【図１】
2006055184.tif 000003
【図２】
2006055184.tif 000004
【図３】
2006055184.tif 000005
【図４】
2006055184.tif 000006
【図５】
2006055184.tif 000007
【図６】
2006055184.tif 000008
【図７】
2006055184.tif 000009
【図８】
2006055184.tif 000010
【図９】
2006055184.tif 000011